(57)【特許請求の範囲】
【請求項１】
携帯可能な筐体に無線通信手段を備える携帯型無線通信装置であって、
前記筐体の装置背面側に、
所定の情報を表示する背面側表示手段を備えるとともに、
所定の態様で発光する背面側発光手段を備え、
前記背面側発光手段が、前記背面側表示手段の外周に沿って縁取り形状に配設されるＥＬ素子からなることを特徴とする携帯型無線通信装置。
【請求項２】
前記ＥＬ素子が、前記筐体の装置背面側の表面に配設されるとともに、当該筐体の壁部を経由するコネクタを介して前記筐体内の電源部に接続される請求項１記載の携帯型無線通信装置。
【請求項３】
前記コネクタが、導電性ゴムコネクタからなる請求項２記載の携帯型無線通信装置。
【請求項４】
前記筐体が、装置正面側と背面側に、組立て自在に分割形成される場合に、
前記電源部が前記筐体の装置正面側に配設されるとともに、
前記コネクタが当該筐体の装置背面側に配設され、
当該筐体が組み立てられることにより、前記電源部とコネクタが接触し、当該電源部に前記ＥＬ素子が接続される請求項２又は３記載の携帯型無線通信装置。
【請求項５】
前記背面側表示手段が、前記筐体内に収納され、当該筐体の装置背面側に形成される開口部を介して外部から視認可能に配設される場合に、
前記ＥＬ素子が、前記筐体内に収納され、前記背面側表示手段とともに前記開口部を介して外部から視認可能に配設される請求項１記載の携帯型無線通信装置。
【請求項６】
前記ＥＬ素子が、前記背面側表示手段に一体的に取り付けられる請求項５記載の携帯型無線通信装置。
【請求項７】
前記ＥＬ素子が、前記筐体壁部の厚み方向の異なる位置に連続して配設される請求項１，２，３，４，５又は６記載の携帯型無線通信装置。
【請求項８】
前記筐体が、折畳み自在に連結される複数の筐体からなる場合に、
前記背面側表示手段及び背面側発光手段が、当該複数の筐体のうち、少なくとも一の筐体の装置背面側に備えられる請求項１，２，３，４，５，６又は７記載の携帯型無線通信装置。
【請求項９】
前記背面側表示手段が、液晶ディスプレイからなる請求項１，２，３，４，５，６，７又は８記載の携帯型無線通信装置。
【請求項１０】
前記背面側表示手段が、ＥＬディスプレイからなる請求項１，２，３，４，５，６，７又は８記載の携帯型無線通信装置。
【発明の詳細な説明】
【０００１】
【発明の属する技術分野】
本発明は、携帯電話機やＰＨＳ用端末機等に代表される携帯型の無線通信装置に関し、特に、装置筐体の背面側に、所定の情報を表示する液晶ディスプレイ等からなる背面側表示手段を備えるとともに、この背面側表示手段とは別個に動作，発光するＥＬ素子からなる背面側発光手段を備えることによって、ＥＬ素子の発光により、背面側表示手段の情報表示機能を補完するとともに、通信装置の背面に従来にはない新たな装飾効果をもたせることができる携帯型無線通信装置に関する。
【０００２】
【従来の技術】
近年、携帯可能な筐体に外部との無線通信を行う無線通信手段を備えた、携帯電話機やＰＨＳ用端末機等に代表される携帯型の無線通信装置が広く普及している。
そして、特に最近は、このような携帯型無線通信装置の更なる利便性，商品性の向上を図り、利用者に魅力ある無線通信装置を提供する観点から、通信装置本来の無線通信機能に加えて、種々の付加的機能や装備を有する携帯型無線通信装置が提案，開発されている。
【０００３】
ここで、このような携帯型無線通信装置の付加的な機能の一つとして、装置筐体の背面側に表示手段を備える背面表示機能がある。
この携帯型無線通信装置の背面側表示機能は、通信装置に本来的に備えられる筐体正面側の表示手段（正面側表示手段）に加えて、筐体の装置背面側にも、正面側表示手段を補完する付加的，補完的な表示手段（背面側表示手段）を備えるようにしたものである。
【０００４】
図１２は、このような背面側表示手段を備えた従来の携帯型無線通信装置の外観を示す図であり、（ａ）は背面図、（ｂ）は左側面図、（ｃ）は正面図である。
同図に示す従来の携帯型無線通信装置１０１は、携帯電話機やＰＨＳ用端末機等の無線通信装置であり、筐体１０２の第一筐体１１０及び第二筐体１２０が、ヒンジ部１０３を介して折畳み自在に連結されている。
第一筐体１１０及び第二筐体１２０内には、図示しない無線通信装置の各部が配設されるとともに、図１２（ｃ）に示すように、第一筐体１１０の装置正面側には、液晶ディスプレイ等からなる正面側表示手段１０４が、第二筐体１２０の装置正面側には、キーボタン等からなる入力手段１０５が備えられている。
また、第一筐体１１０の上端側には、筐体表面から外部に突出するように、電波送受信用のアンテナ１０６が備えられている。
【０００５】
そして、この第一筐体１１０の装置背面側に、図１２（ａ）に示すように、背面側表示手段１３０が備えられるようになっている。
この背面側表示手段１３０は、小型の液晶ディスプレイ等によって構成され、文字，数字，図形等によって所定の情報が表示されるようになっており、例えば、現在時刻を示す時計表示や、着信を知らせる着信表示等、正面側表示手段１０４の表示機能を補完する所定情報を表示するようになっている。
このような背面側表示手段１３０を備えることによって、第一筐体１１０と第二筐体１２０が折り畳まれた状態でも、背面側表示手段１３０は外部から視認することができることから、使用者は、筐体１０２を展開して正面側表示手段１０４を確認することなく、必要な情報を背面側表示手段１３０から入手，確認できるようになっている。
【０００６】
これにより、背面側表示手段１３０を備える通信装置の使用者は、筐体１０２を折り畳んだ状態で鞄や上着のポケット等に入れて携帯し、例えば現在時刻や着信の有無を確認する場合には、通信装置を取り出して背面側表示手段１３０を確認するだけで、所定の情報を入手することができる。
そして、背面側表示手段１３０の表示内容を確認した後、必要に応じて筐体１０２を展開して通信装置を使用するか否かを決定することが可能となる。
【０００７】
このように、背面側表示手段１３０を備える通信装置では、着信の有無等の必要最小限な情報を、筐体１０２を展開することなく直ちに確認することができ、通信装置の迅速，的確な操作が可能となるとともに、無駄な筐体の展開動作も不要となり、通信装置の操作性，利便性を大きく向上させることが可能であった。このような装置背面側の表示手段を備える携帯型無線通信装置としては、例えば、特開２００１−１８６２２６号や特開２００１−１８６２２７号公報に提案されている「折り畳み式携帯電話機」等が知られている。
【０００８】
【発明が解決しようとする課題】
ところで、近年の携帯電話機やＰＨＳ用端末機の急速な普及は、携帯型無線通信装置に対する様々なニーズと、それに伴う製品の多様化，多機能化，ライフサイクルの短縮化等をさらに進展させることとなり、従来にはない魅力ある通信装置の開発が要請されるに至っている。
このため、上述したような背面側に表示手段を備える通信装置に対しても、さらなる改良，変更の可能性が検討されるようになった。
【０００９】
ここで、上述した従来の背面側表示手段を備える通信装置の改良，変更として、液晶ディスプレイ等の背面側表示手段の近傍に、ＬＥＤからなる発光手段を配設し、外部からの着信があった場合等に、液晶ディスプレイ等の着信表示とともに、ＬＥＤを発光させるという提案がなされている。
しかし、外部からの着信があった場合にＬＥＤを発光させることは、背面側表示手段を備える装置以前から採用されていた技術であり、特に目新しい機能ではなく、これを単に背面側表示手段の近傍等に配設するというのみでは、従来にはない魅力ある通信装置とすることは困難であった。
【００１０】
また、ＬＥＤを、例えば筐体背面側に多数配設する等、従来にはない配置構造や配置態様とすることも考えられるが、ＬＥＤを筐体表面に多数配設することは、装置全体が大型化，大厚化、大重量化するとともに、製造コストも上昇するおそれがある反面、デザイン的な自由度や装飾効果等には一定の限界があった。
このため、特に装置の小型軽量化や低価格化が強く要請される携帯型無線通信装置では、このようなＬＥＤを多数配置する構造の採用は困難であった。
【００１１】
本発明は、このような従来の技術が有する問題を解決するために提案されたものであり、装置筐体の背面側に、所定の情報を表示する液晶ディスプレイ等からなる背面側表示手段を備えるとともに、この背面側表示手段とは別個に動作，発光するＥＬ素子からなる背面側発光手段を備えることによって、ＥＬ素子の発光により、背面側表示手段の情報表示機能を補完するとともに、通信装置の背面に、従来にはない新たな装飾効果をもたせることができる携帯型無線通信装置の提供を目的とする。
【００１２】
【課題を解決するための手段】
上記目的を達成するため、本発明の請求項１記載の携帯型無線通信装置は、携帯可能な筐体に無線通信手段を備える携帯型無線通信装置であって、前記筐体の装置背面側に、所定の情報を表示する背面側表示手段を備えるとともに、所定の態様で発光する背面側発光手段を備え、前記背面側発光手段が、前記背面側表示手段の外周に沿って縁取り形状に配設されるＥＬ素子からなる構成としてある。
【００１３】
このような構成からなる本発明の携帯型無線通信装置によれば、装置背面側に備えられる背面側表示手段とともに、装置背面側に発光する背面側発光手段を備えることができ、この背面側発光手段をＥＬ素子によって形成するようにしてある。
ＥＬ素子は、電圧を印加することにより発光する蛍光体を薄膜状に形成した発光素子で、厚みが薄く、小型軽量に形成でき、可撓性，耐久性にも優れ、任意の形状に加工，形成することが可能であり、ＥＬ素子を平面状に形成することによって、面状に発光する発光手段を構成することができる。
【００１４】
本発明では、このようなＥＬ素子を、携帯型無線通信装置の筐体背面側に、液晶ディスプレイ等からなる背面側表示手段とともに配設することにより、筐体背面が面状に発光する従来にはない携帯型無線通信装置を実現するようにしてある。
これにより、背面側発光手段となるＥＬ素子を発光させることによって、背面側表示手段の情報表示機能を補完するとともに、通信装置の背面側に面状に発光する部分を設けることができ、装置全体の装飾効果，美的効果を高めることが可能となり、従来には存在しない魅力ある携帯型無線通信装置を提供することができる。
【００１５】
また、ＥＬ素子は、軽量な薄膜状に構成され、かつ、任意の形状に形成することができることから、装置背面側の発光手段として、任意の形状で、任意の箇所に配設することが可能となり、所望の形状に形成したＥＬ素子を、例えば液晶ディスプレイ等からなる背面側表示手段の近傍に配設し、あるいは、背面側表示手段から離間して配設する等、斬新なデザインや自由な形状，レイアウトで設定することができる。
これにより、携帯型無線通信装置全体の設計，デザイン上の自由度を損なうことなく、背面側発光手段を自由に設けることができ、近年の通信装置に対する多様なニーズに応じた種々の形状，デザインのＥＬ素子を備えることで、魅力のある通信装置の提供が可能となる。
【００１６】
また、このようなＥＬ素子からなる背面側発光手段によれば、装置の筐体の壁面に沿って薄膜状に配設することができるので、発光手段として多数のＬＥＤを用いる場合のような、装置全体が大型化，大重量化するおそれもない。
しかも、ＥＬ素子は、加工も容易で安価に製造できることから、背面側発光手段を備えることによっても、携帯型無線通信装置の製造コストが増大することもなく、魅力ある通信装置を低価格で提供することが可能となる。
【００１８】
そして、本発明の携帯型無線通信装置によれば、ＥＬ素子を液晶ディスプレイ等からなる背面側表示手段の周囲に縁取り状に形成，配設することにより、ＥＬ素子の発光によって液晶ディスプレイ等の表示を周囲から際立たせることができる。
これによって、ＥＬ素子を視覚的，美的効果に優れた装飾手段として用いることができ、より魅力的な携帯型無線通信装置を提供することができる。
【００１９】
また、請求項２記載の携帯型無線通信装置は、前記ＥＬ素子が、前記筐体の装置背面側の表面に配設されるとともに、当該筐体の壁部を経由するコネクタを介して前記筐体内の電源部に接続される構成としてある。
【００２０】
特に、請求項３記載では、前記コネクタが、導電性ゴムコネクタからなる構成としてある。
【００２１】
このような構成からなる本発明の携帯型無線通信装置によれば、薄膜状のＥＬ素子を筐体表面に配設することで、筐体壁面をＥＬ素子の保持手段として利用することができ、ＥＬ素子専用の保持手段を別途設ける必要がなく、ＥＬ素子及び通信装置全体を薄型化することができる。
これにより、背面側発光手段を備えることによっても、携帯型無線通信装置が大厚化，大重量化することなく、通信装置の薄型化を図ることができる。
【００２２】
また、ＥＬ素子及びＥＬ素子に電圧を印加する筐体内の電源部を、筐体壁部を経由するコネクタを介して接続することによって、確実に両者の導通を図ることができる。
特に、コネクタを導電性ゴムコネクタで構成することにより、ＥＬ素子及び電源部を、導電性ゴムコネクタに圧接させるだけで接続，導通させることができ、板金製の板ばねコネクタを設けたり、はんだ付け等の接続作業を必要とすることなく、ＥＬ素子と電源部を容易かつ確実に接続させることができる。
さらに、導電性ゴムコネクタによれば、板ばねコネクタのような金属のへたりを考慮する必要がないことから、通信装置の設計の自由度やデザインの幅が広がり、装置全体の薄型化を図ることができる。
【００２３】
そして、請求項４記載の携帯型無線通信装置では、前記筐体が、装置正面側と背面側に、組立て自在に分割形成される場合に、前記電源部が前記筐体の装置正面側に配設されるとともに、前記コネクタが当該筐体の装置背面側に配設され、当該筐体が組み立てられることにより、前記電源部とコネクタが接触し、当該電源部に前記ＥＬ素子が接続される構成としてある。
【００２４】
このような構成からなる本発明の携帯型無線通信装置によれば、装置正面側と背面側に分割形成される筐体の、一方（装置正面側）に電源部を、他方（装置背面側）にＥＬ素子と接続されるコネクタを配設することにより、筐体を組み立てるだけで、電源部とコネクタを接触させて、当該電源部とＥＬ素子を接続させることができる。
すなわち、ＥＬ素子及びコネクタは、予め装置背面側の筐体に組み込むことで筐体と一体化したユニットとすることができ、ＥＬ素子の電源部への接続作業を、筐体の組立て作業に含ませることができる。
【００２５】
これにより、予め電源部やコネクタ，ＥＬ素子を所定の箇所に配設した筐体を組み立てるだけで、ＥＬ素子と電源部を接続させることができるので、背面側発光手段を備えることによっても、ＥＬ素子の接続，導通作業を含む携帯型無線通信装置の組立て作業を容易かつ確実に行うことができ、製造コストが上昇することなく、本発明にかかる携帯型無線通信装置を低価格で提供することができる。特に、コネクタを導電性ゴムコネクタによって構成する場合、ＥＬ素子と電源部は、導電性ゴムコネクタが圧接することにより接続，導通されるので、はんだ付け等を一切必要とすることなく、筐体を組み立てるだけでＥＬ素子と電源部を接続させることができ、通信装置の組立て工程がきわめて容易となり、製造コストを削減して、製造効率を大幅に向上させることが可能となる。
【００２６】
一方、請求項５記載の携帯型無線通信装置は、前記背面側表示手段が、前記筐体内に収納され、当該筐体の装置背面側に形成される開口部を介して外部から視認可能に配設される場合に、前記ＥＬ素子が、前記筐体内に収納され、前記背面側表示手段とともに前記開口部を介して外部から視認可能に配設される構成としてある。
【００２７】
特に、請求項６記載の携帯型無線通信装置は、前記ＥＬ素子が、前記背面側表示手段に一体的に取り付けられる構成としてある。
【００２８】
このような構成からなる本発明の携帯型無線通信装置によれば、ＥＬ素子を背面側表示手段とともに筐体内に配設し、筐体壁部に形成した開口部を介して一体的に視認可能な構成とすることで、筐体の組立て作業を容易に行うことができる。
特に、ＥＬ素子を液晶ディスプレイ等からなる背面側表示手段に一体的に取り付けることにより、ＥＬ素子と背面側表示手段と一つのユニットとして扱うことができ、筐体内への配設作業や筐体の組立て作業も、ＥＬ素子と背面側表示手段を一体化させて容易に行うことが可能となる。
【００２９】
また、このようにＥＬ素子と背面側表示手段とを一体的に構成することにより、背面側表示手段をＥＬ素子の保持手段として利用することができ、ＥＬ素子専用の保持手段を別途設ける必要がなく、ＥＬ素子及び通信装置全体を薄型化することができる。
これにより、背面側発光手段を備えることによっても、携帯型無線通信装置が大厚化，大重量化することなく、通信装置の薄型化を図ることができる。
【００３０】
さらに、請求項７記載の携帯型無線通信装置は、前記ＥＬ素子が、前記筐体壁部の厚み方向の異なる位置に連続して配設される構成としてある。
【００３１】
このような構成からなる本発明の携帯型無線通信装置によれば、連続する一つのＥＬ素子を屈曲等させることによって、筐体壁部の厚み方向、すなわち背面側表示手段の高さ方向に、異なる位置で発光手段を配設することができる。
これにより、複雑な構成とすることなく、高さ方向に発光位置が異なる複数段の発光手段を形成することができ、ＥＬ素子による従来には存在しない発光態様によって、通信装置の装飾効果をより高めることが可能となる。
また、特に背面側表示装置が液晶ディスプレイで構成される場合には、液晶ディスプレイのバックライト光と合わせて、さらに多段階の発光を行うことができ、携帯型無線通信装置の美感，装飾的効果をさらに向上せさることができる。
【００３２】
そして、請求項８記載の携帯型無線通信装置は、前記筐体が、折畳み自在に連結される複数の筐体からなる場合に、前記背面側表示手段及び背面側発光手段が、当該複数の筐体のうち、少なくとも一の筐体の装置背面側に備えられる構成としてある。
【００３３】
このように、本発明の携帯型無線通信装置は、折畳み自在に連結される複数の筐体によって構成される通信装置について、少なくとも一の筐体の装置背面側に背面表示手段及び背面発光手段を備えるものであれば、上述した本発明の効果を奏することができるものである。
従って、二つの筐体が折畳み自在に連結される通信装置については、本発明にかかる背面表示手段及び背面発光手段を、一方の筐体のみに備えることもでき、また、双方の筐体の各背面側に備えることもできる。
なお、筐体が折畳み式でない単一型の筐体についても、上述した本発明にかかる背面側表示手段及び背面側発光手段を適用することができることは勿論である。
【００３４】
さらに、請求項９記載の携帯型無線通信装置は、前記背面側表示手段が、液晶ディスプレイからなる構成としてある。
【００３５】
一方、請求項１０記載の携帯型無線通信装置は、前記背面側表示手段が、ＥＬディスプレイからなる構成としてある。
【００３６】
このように、本発明の携帯型無線通信装置では、背面側表示手段として、例えば液晶ディスプレイやＥＬディスプレイ等、既存の表示手段を採用することができる。
すなわち、本発明の携帯型無線通信装置は、既存の表示手段が通信装置の背面側に配設される場合に、この背面側表示手段の表示機能を補完しつつ、新たな美的効果，装飾効果を奏するＥＬ素子を背面側発光手段として備えるものであり、背面側表示手段については、文字，数字や図形等を所定の情報として外部に表示できる手段であれば、どのような構成のものであっても採用することができる。
【００３７】
【発明の実施の形態】
以下、本発明にかかる携帯型無線通信装置の好ましい実施形態について、図面を参照しつつ説明する。
［第一実施形態］
まず、図１〜図６を参照して、本発明の携帯型無線通信装置の第一実施形態について説明する。
図１は、本発明の第一実施形態にかかる携帯型無線通信装置の外観を示す図であり、（ａ）は正面図、（ｂ）は右側面図、（ｃ）は背面図である。
図２は、本実施形態にかかる携帯型無線通信装置における表示側筐体の全体を示す、装置背面側から見た分解斜視図である。
図３は、本実施形態にかかる携帯型無線通信装置における表示側筐体の一部を示す、装置正面側から見た分解斜視図である。
図４及び図５は、本実施形態にかかる携帯型無線通信装置の、図２に示すＡ−Ａ線における断面部であり、図４は筐体の組立て前の状態、図５は組立て後の状態を示している。
また、図６は、図５に示す断面図の要部拡大図である。
【００３８】
［携帯型無線通信装置の基本的構成］
まず、図１及び図２を参照して、本実施形態にかかる携帯型無線通信装置の基本的構成について説明する。
図１に示すように、本実施形態の携帯型無線通信装置１は、携帯電話機やＰＨＳ用端末機等の無線通信装置を構成しており、筐体２が、ヒンジ部３を介して折畳み自在に連結される第一筐体１０及び第二筐体２０の二つの筐体によって構成されている。
図１（ａ）に示すように、第一筐体１０の装置正面側には、液晶ディスプレイ等からなる正面側表示手段４が備えられ、また、第二筐体２０の装置正面側には、キーボタン等からなる入力手段５が備えられている。
また、第一筐体１０の上端側には、筐体表面から外部に突出するように、電波送受信用のアンテナ６が備えられている。
【００３９】
第一筐体１０及び第二筐体２０内には、無線通信装置の各部が配設されるようになっており、図２に示すように、第一筐体１０の内部には、正面側表示手段４及び後述する背面側表示手段３０，背面側発光手段４０が実装される基板７が備えられている（第二筐体２０の内部については図示省略）。
なお、第一筐体１０及び第二筐体２０は、それぞれ、装置正面側と背面側に、組立て自在に分割形成され（図２に示す第一筐体正面側１１及び背面側１２参照）、一体的に組み立てられて一つの筐体を構成するようになっており、基板７等の部品，装置の収納，実装が容易に行えるようになっている。
そして、基板７及び基板７に実装される図示しないプロセッサ等によって、正面側表示手段４及び背面側表示手段３０の表示動作と、背面側発光手段４０の発光動作が制御されるようになっている。
【００４０】
ここで、基板７に実装される正面側表示手段４は、通信装置本来の表示手段となっており、具体的には、入力手段５で入力される電話番号等の入力表示や通信装置が備える各種機能の表示，外部からの着信表示，文字による電子メールの表示，インターネットのコンテンツ表示等、通信装置として必要な情報を文字，記号，図形等で表示するようになっている。
そして、この正面側表示手段４が、図２に示すように、第一筐体１０の正面側（第一筐体正面側１１）に形成された開口部（正面側開口部１１ａ）を介して、筐体外部から表示内容を視認できるようになっている。
なお、この表面側表示手段４は、通常の携帯電話機やＰＨＳ用端末機等と同様、液晶ディスプレイによって構成される他、ＥＬディスプレイによって構成することもできる。
【００４１】
また、基板７の表面（上面）には、背面側発光手段４０となるＥＬ素子に対して電圧を印加する電源部に接続した導体露出部が形成されている（図示省略）。この導体露出部を介して、基板７上に実装された図示しない電源部から電圧が印加されることによって、後述するように、背面側発光手段４０となるＥＬ素子が、所定の態様で発光するようになっている。
なお、以上のような構成からなる携帯型無線通信装置１は、以下に説明する背面側表示手段３０及び背面側発光手段４０に関する部分を除いて、既存の携帯電話やＰＨＳ等の携帯型無線通信装置とほぼ同様の構成，機能となっており、本実施形態においては詳細な説明は省略する。
【００４２】
［背面側表示手段及び背面側発光手段］
次に、本実施形態の携帯型無線通信装置に備えられる背面側表示手段及び背面側発光手段について説明する。
本実施形態の携帯型無線通信装置１には、第一筐体１０の装置背面側に、背面側表示手段３０及び背面側発光手段４０が備えられるようになっている。
背面側表示手段３０は、所定の情報を表示する表示手段であり、図２に示すように、第一筐体１０内に備えられる基板７上に搭載，実装される小型の液晶ディスプレイやＥＬディスプレイによって構成されている。
この背面側表示手段３０は、基板７の制御によって文字，数字，図形等によって所定の情報が表示されるようになっている。例えば、現在時刻を示す時計表示や、着信を知らせる着信表示等、上述した正面側表示手段４の表示機能を補完する所定の情報を表示できるようになっている。
【００４３】
ここで、背面側表示手段３０は、液晶ディスプレイ，ＥＬディスプレイ等、既存の表示手段によって構成されている。
すなわち、本実施形態は、既存の表示手段からなる背面表示手段３０が通信装置１の背面側に配設される場合に、背面側表示手段３０の表示機能を補完しつつ、新たな美的効果，装飾効果を奏する背面側発光手段４０を備えるものであり、背面側表示手段３０については、文字，数字や図形等を所定の情報として外部に表示できる手段であれば、どのような構成のものであっても良い。
【００４４】
そして、この背面側表示手段３０は、図２に示すように、第一筐体背面側１２に形成された開口部（背面側開口部１２ａ）を介して、筐体外部から表示内容を視認できるようになっている。
このように、第一筐体１０の背面側に背面側表示手段３０を備えることによって、第一筐体１０と第二筐体２０が折り畳まれた状態でも、背面側表示手段３０は外部から視認することができ、使用者は、筐体２を展開して正面側表示手段４を確認することなく、必要な情報を入手，確認することができる。
【００４５】
なお、背面側開口部１２ａは、背面側表示手段３０の表示内容が視認可能であれば、どのような大きさ，形状であっても良いが、本実施形態では、図２に示すように、装飾的デザイン等を考慮して長楕円形状の開口部としてある。
このように、背面側開口部１２ａの形状，大きさによって、装置背面側の外観，美感が大きく影響されるので、背面側開口部１２ａは、装飾効果の高いデザイン，形状とすることが好ましい。
【００４６】
そして、この背面側表示手段３０が備えられる第一筐体１０の背面側１２に、所定の態様で発光する背面側発光手段４０が備えられている。
背面側発光手段４０は、背面側表示手段３０とは別個に動作，発光するＥＬ素子からなっている。
ＥＬ素子は、電圧を印加することにより発光する蛍光体を薄膜状に形成した発光素子で、厚みが薄く、小型軽量に形成でき、可撓性，耐久性にも優れ、任意の形状に加工，形成することが可能であり、ＥＬ素子を平面状に形成することによって、面状に発光する発光手段を構成することができる。
本実施形態では、このようなＥＬ素子を第一筐体背面側１２に、液晶ディスプレイ等からなる背面側表示手段３０とともに配設することにより、筐体背面側に、面状に発光する部分を有する従来にはない携帯型無線通信装置１を実現するようにしてある。
【００４７】
具体的には、背面側発光手段４０を構成するＥＬ素子は、図２に示すように、背面側表示手段３０の外周に沿って縁取り形状となる、中心が開口する環状の長楕円形状に形成されている。
このように背面側発光手段４０となるＥＬ素子を、液晶ディスプレイ等からなる背面側表示手段３０の周囲に縁取り状に形成，配設することにより、ＥＬ素子の発光によって液晶ディスプレイ等の表示を周囲から際立たせることができる。これによって、ＥＬ素子を視覚的，美的効果に優れた装飾手段として用いることができ、従来にはない携帯型無線通信装置を実現することができる。
【００４８】
ここで、ＥＬ素子は、上述したように、導体露出部を介して基板７上の電源部から印加される電圧によって発光するようになっており、基板７のプロセッサ等によって印加電圧が制御され、ＥＬ素子は所定の態様で発光することになる。
ＥＬ素子の発光態様としては、種々のものを選択，設定することが可能であり、例えば、通信装置に外部からの着信があった際に、液晶ディスプレイ等の着信表示とともにＥＬ素子を点滅させることにより、背面表示手段３０の表示機能を補完させたり、あるいは、着信メロディ音に合わせてＥＬ素子を点滅させることにより、装飾効果を高めるようにすることができる。また、通信装置のバッテリ残量が一定以下となった場合等に、ＥＬ素子を点灯，点滅させることにより、アラーム手段として用いることもできる。
【００４９】
そして、このＥＬ素子からなる背面側発光手段４０は、図２に示すように、第一筐体背面側１２の背面側開口部１２ａの周囲に沿って、ＥＬ素子とほぼ同形状に形成されたＥＬ搭載部１２ｂに搭載，保持されるようになっており、これによって第一筐体背面側１２の表面に沿って配設されるようになっている。
このように、背面側発光手段４０を第一筐体１０の表面側に配設することで、筐体壁面を、背面側発光手段４０を構成する薄膜状のＥＬ素子の保持手段として利用することができ、ＥＬ素子専用の保持手段を別途設ける必要がなくなり、ＥＬ素子及び通信装置全体を薄型化することが可能となる。従って、本実施形態では、背面側発光手段４０を備えることによっても、携帯型無線通信装置１が大厚化，大重量化することなく、装置全体の薄型化を図ることができる。
【００５０】
背面側発光手段４０には、外周縁の一部から突出するＥＬ素子の電極４０ａが形成されており、この電極４０ａが、ＥＬ搭載部１２ｂから第一筐体１０の内部のコネクタ取付け部１２ｅ（図３参照）に連通する電極挿入部１２ｄに挿入されるようになっている。
そして、この電極挿入部１２ｄに挿入された電極４０ａは、図４〜図６に示すように、第一筐体背面側１２の壁部を経由してコネクタ４１に接触し、このコネクタ４１を介して筐体内の基板７上に形成された導体露出部と接触，接続されるようになっている。
これにより、背面側発光手段４０を構成するＥＬ素子に対して、筐体内の図示しない電源部から電圧が印加されるようになっている。
【００５１】
ここで、コネクタ４１は、図３に示すように、第一筐体背面側１２の筐体内面に形成されたコネクタ取付け部１２ｅに配設されるようになっている。
コネクタ取付け部１２ｅは、図６に示すように、第一筐体背面側１２の壁部を経由して、筐体表面側の電極挿入部１２ｄと連通するようになっており、電極挿入部１２ｄに挿入されたＥＬ素子の電極４０ａが、コネクタ取付け部１２ｅ側に突出するようになっている。
これによって、コネクタ取付け部１２ｅに配設されたコネクタ４１は、コネクタ取付け部１２ｅ側に突出するＥＬ素子の電極４０ａと接触できるようになっている。
なお、コネクタ取付け部１２ｅは、後述するコネクタ４１を構成する導電性ゴムコネクタが圧入状態で取り付けられるように、コネクタ４１の外形よりやや小さくなる空間によって構成されている（図３参照）。
【００５２】
そして、本実施形態では、コネクタ４１が導電性ゴムコネクタによって構成されている。
導電性ゴムコネクタは、例えば、長方体や直方体形状に形成された、一定の弾性を有するシリコンゴム等に、ステンレス，ニッケル等に金メッキ等を施した導電性部材からなる金属細線を埋設させたもので、金属細線がシリコンゴムの端面から突出するようになっており、この金属細線が突出するシリコンゴムの両端側が押圧されることによって、押圧する接触部材間が電気的に導通されるコネクタである。
【００５３】
本実施形態では、この導電性ゴムコネクタを、ＥＬ素子の電極４０ａと基板７上に形成された導体露出部を接続するコネクタ４１として用いており、第一筐体１０の正面側１１及び背面側１２が組み立てられた状態で、導電性ゴムコネクタの金属細線が突出する両端面が、ＥＬ素子の電極４０ａ及び基板７によって挟持，押圧されるように設定してある。
また、このコネクタ４１を構成する導電性ゴムコネクタは、筐体内面のコネクタ取付け部１２ｅに対して圧入状態で取り付けられるように、外形がコネクタ取付け部１２ｅよりやや大きくなるように形成，設定されている（図３参照）。
【００５４】
このように、コネクタ４１を導電性ゴムコネクタで構成することにより、背面側発光手段４０となるＥＬ素子と基板７上の導体露出部は、第一筐体１０の正面側１１及び背面側１２が組み立てられることによって導電性ゴムコネクタに圧接され、これによって、両者が接続，導通することになる。
これによって、板金製の板ばねコネクタを設けたり、はんだ付け等の接続作業を必要とすることなく、ＥＬ素子と基板７上の電源部に接続した導体露出部を容易かつ確実に接続させることができる。
また、導電性ゴムコネクタからなるコネクタ４１によれば、板ばねコネクタのような金属のへたりを考慮する必要がないことから、通信装置の設計の自由度やデザインの幅が広がり、装置全体の薄型化を図ることもできる。
【００５５】
なお、背面側発光手段４０となるＥＬ素子には、図２に示すように、外周縁部に切欠き部４０ｂが形成してある。
この切欠き部４０ｂが、ＥＬ搭載部１２ｂの内面に突設した凸部（図示省略）と係合することにより、ＥＬ素子がＥＬ搭載部１２ｂの所定位置に位置決めされるようになっている。
【００５６】
さらに、本実施形態では、図２及び図３に示すように、ＥＬ素子からなる背面側発光手段４０の上面側を覆う背面側スクリーン４２が備えられている。
背面側スクリーン４２は、ＥＬ素子及び背面側開口部１２ａを覆う蓋手段であり、合成樹脂等からなる透明部材が、ＥＬ素子より一回り大きい長楕円形状に形成さることにより構成されている。
この背面側スクリーン４２は、図２に示すように、第一筐体背面側１２のＥＬ搭載部１２ｂの周囲に沿って、背面側スクリーン４２とほぼ同形状に形成された段部となるスクリーン搭載部１２ｃに係合，保持されるようになっており、これによってＥＬ素子及び背面側開口部１２ａの上面を覆う状態で、第一筐体背面側１２に取り付けられるようになっている。
このように背面側スクリーン４２が第一筐体１０に取り付けられることによって、背面側開口部１２ａが覆われて、筐体内に異物等が侵入することが防止されるとともに、ＥＬ搭載部１２ｂに搭載されたＥＬ素子が脱落不能に保持されることになる。
【００５７】
ここで、本実施形態にかかる背面側スクリーン４２は、図２及び図３に示すように、中心に背面側表示手段３０の表示面が視認可能な無色透明の窓部４２ａを有するとともに、この窓部４２ａの外周に沿って縁取り形状に形成された、背面側発光手段４０の光が透過可能な有色透明な彩色部４０ｃを有する構成となっている。
このように背面側スクリーン４２に無色透明の窓部４２ａと有色透明の彩色部４０ｃを設けることにより、第一筐体背面側１２の装飾効果を高めることができる。
また、背面側スクリーン４２の彩色部４０ｃの色彩によって、ＥＬ素子の光を任意の色で透過，発光させることが可能となる。従って、この彩色部４０ｃの色彩を変更することにより、ＥＬ素子の発光色を変更することができ、種々の発光色を選択可能な通信装置を提供することができる。
【００５８】
なお、この背面側スクリーン４２には、図２に示すように、外周縁部に爪部４２ｂが形成してあり、この爪部４２ｂが、スクリーン搭載部１２ｃの内面に形成した孔部（図示省略）に係合することにより、背面側スクリーン４２がスクリーン搭載部１２ｃの所定位置に位置決めされるようになっている。
また、位置決めされた背面側スクリーン４２は、内面側に接着剤が塗布されて、第一筐体背面側１２に脱落不能に固定されるようになっている。
【００５９】
［背面側表示手段及び背面側発光手段の組立て方法］
次に、以上のような構成からなる本実施形態の携帯型無線通信装置における背面側表示手段及び背面側発光手段の組立て方法について説明する。
まず、正面側表示手段４，背面側表示手段３０等の各部品，装置が実装された基板７を用意し、この基板７を、分割された状態の第一筐体正面側１１に対して搭載，固定する。
この状態で、基板７と第一筐体正面側１１は一体化したユニットとなる。
【００６０】
一方、第一筐体背面側１２には、背面側発光手段４０となるＥＬ素子を取り付ける。
まず、ＥＬ素子を第一筐体背面側１２のＥＬ搭載部１２ｂに位置合わせしつつ搭載する。このとき、ＥＬ素子の切欠き部４０ｂをＥＬ搭載部１２ｂの凸部（図示せず）に係合させることにより、ＥＬ素子は所定位置に簡単に搭載することができる。
また、同時に、ＥＬ素子の電極４０ａを、ＥＬ搭載部１２ｂの内周面に形成した電極挿入部１２ｄに挿入させる。電極挿入部１２ｄに挿入された電極４０ａは、第一筐体背面側１２の内面側のコネクタ取付け部１２ｅに突出する。
【００６１】
この状態で、コネクタ４１を筐体内面側から配設し、コネクタ取付け部１２ｅに取り付ける。コネクタ４１は導電性ゴムコネクタからなり、コネクタ取付け部１２ｅには、ゴムの弾性によって圧入状態で取り付けられるので、接着剤等は必要とならない。
コネクタ４１がコネクタ取付け部１２ｅに取り付けられると、コネクタ４１の金属細線がＥＬ素子の電極４０ａに当接，接触することになる（図４〜図６参照）。
【００６２】
その後、ＥＬ素子の上面側から背面側スクリーン４２を配設し、第一筐体背面側１２のスクリーン搭載部１２ｃに位置合わせしつつ搭載する。このとき、背面側スクリーンの爪部４２ｂをスクリーン搭載部１２ｃの孔部（図示せず）に係合させることにより、背面側スクリーン４２は所定位置に簡単に搭載することができる。
そして、背面側スクリーン４２を接着剤によって第一筐体背面側１２に固定する。
この状態で、ＥＬ素子及びコネクタ４１は、第一筐体背面側１２に脱落不能に組み込まれて筐体と一体化したユニットとなる。
【００６３】
そして、この状態で、第一筐体正面側１１と背面側１２とを位置合わせして、両者を組み立てる（図４及び図５参照）。
第一筐体正面側１１と背面側１２が組み立てられると、コネクタ４１は、導電性ゴムコネクタの金属細線が突出する両端面が、ＥＬ素子の電極４０ａ及び基板７上の導体露出部によって挟持，押圧されて接触する。
これにより、背面側発光手段４０となるＥＬ素子が基板７上の導体露出部を介して電源部に接続され、組立てが完了する。従って、ＥＬ素子は、基板７の制御によって所定の態様で発光可能となり、例えば、外部から着信があった場合に液晶ディスプレイ等の着信表示とともに点滅する等、ＥＬ素子の発光動作が行えるようになる。
【００６４】
このように、本実施形態の携帯型無線通信装置１は、装置正面側と背面側に分割形成される第一筐体１０の、一方（正面側１１）に電源部を、他方（背面側１２）にＥＬ素子と接続されるコネクタ４１を配設することにより、第一筐体１０を組み立てるだけで、電源部に接続した導体露出部とコネクタ４１を接触させて、電源部とＥＬ素子を接続させることができる。
すなわち、背面側発光手段４０となるＥＬ素子及びコネクタ４１は、予め第一筐体１０の背面側１１に組み込むことで、第一筐体背面側１１と一体化したユニットとすることができ、ＥＬ素子と電源部との接続作業を、第一筐体１０の組立て作業に含ませることができることになる。
【００６５】
以上説明したように、本実施形態にかかる携帯型無線通信装置によれば、装置背面側に備えられる背面側表示手段３０とともに、装置背面側に発光する背面側発光手段４０を備え、この背面側発光手段４０をＥＬ素子によって形成するようにしてある。
これにより、背面側発光手段４０となるＥＬ素子を発光させることによって、背面側表示手段３０の情報表示機能を補完するとともに、通信装置の背面側に面状に発光する部分を設けることができ、装置全体の装飾効果，美的効果を高めることが可能となり、従来には存在しない魅力ある携帯型無線通信装置を提供することができる。
【００６６】
また、ＥＬ素子は、軽量な薄膜状に構成され、かつ、任意の形状に形成することができることから、装置背面側の発光手段として、任意の形状で、任意の箇所に配設することが可能となり、所望の形状に形成したＥＬ素子を、例えば液晶ディスプレイ等からなる背面側表示手段の近傍に配設し、あるいは、背面側表示手段から離間して配設する等、斬新なデザインや自由な形状，レイアウトで設定することができる。
これにより、携帯型無線通信装置全体の設計，デザイン上の自由度を損なうことなく、背面側発光手段４０を自由に設けることができ、近年の通信装置に対する多様なニーズに応じた種々の形状，デザインのＥＬ素子を備えることで、魅力のある通信装置の提供が可能となる。
【００６７】
また、このようなＥＬ素子からなる背面側発光手段４０によれば、装置の筐体の壁面に沿って薄膜状に配設することができるので、発光手段として多数のＬＥＤを用いる場合のような、装置全体が大型化，大重量化するおそれもない。
しかも、ＥＬ素子は、加工も容易で安価に製造できることから、背面側発光手段を備えることによっても、携帯型無線通信装置の製造コストが増大することもなく、魅力ある通信装置を低価格で提供することが可能となる。
【００６８】
さらに、本実施形態では、予め、ＥＬ素子やコネクタ４１，電源部に接続した導体露出部を所定の箇所に配設した第一筐体１０を組み立てるだけで、ＥＬ素子と電源部を接続させることができるので、背面側発光手段４０を備えることによっても、ＥＬ素子の接続，導通作業を含む携帯型無線通信装置の組立て作業を容易かつ確実に行うことができ、製造コストが上昇することなく、本発明にかかる携帯型無線通信装置を低価格で提供することができる。
【００６９】
特に、本実施形態では、コネクタ４１を導電性ゴムコネクタによって構成してあるので、ＥＬ素子と基板７上の導体露出部が、導電性ゴムコネクタの圧接によって接続，導通され、はんだ付け等を一切必要とすることなく、筐体を組み立てるだけでＥＬ素子と電源部を接続させることができる。
これにより、携帯型無線通信装置の組立て工程がきわめて容易となり、製造コストを削減して、製造効率を大幅に向上させることが可能となる。
【００７０】
［第二実施形態］
次に、本発明の携帯型無線通信装置の第二実施形態について、図７〜図９を参照しつつ説明する。
図７は、本発明の第二実施形態にかかる携帯型無線通信装置における表示側筐体の全体を示す、装置背面側から見た分解斜視図である。
図８及び図９は、本実施形態にかかる携帯型無線通信装置の、図７に示すＢ−Ｂ線における断面部であり、図８は筐体の組立て前の状態、図９は組立て後の状態を示している。
【００７１】
これらの図に示す本実施形態にかかる装置は、上述した第一実施形態の変形実施形態であり、ＥＬ素子からなる背面側発光手段４０を、液晶ディスプレイ等からなる背面側表示手段３０と一体的に筐体内に配設するようにしたものである。従って、その他の構成部分は、第一実施形態と同様となっており、同様の構成部分については、図中で第一実施形態と同一符号を付し、詳細な説明は省略する。
【００７２】
図７に示すように、本実施形態では、ＥＬ素子からなる背面側発光手段４０が、第一筐体１０内の基板７上に実装される液晶ディスプレイ等からなる背面側表示手段３０の上面に直接搭載されるようになっている。
そして、この背面側発光手段４０の電極４０ａは、基板７上の背面側表示手段の近傍に備えられる導体露出部（図示せず）に対して、導電性ゴムコネクタからなるコネクタ４１を介して接続されるようになっている（図７，図８及び図９参照）。
基板７上に形成される導体露出部は、第一実施形態の場合と同様、図示しない電極部に接続されている。
そして、この導体露出部と電極４０ａは、第一筐体１０が組み立てられた状態で、コネクタ４１が筐体内面と基板７に挟持，押圧されることによって、圧接状態で接続される（図９参照）。
【００７３】
そして、本実施形態では、このように第一筐体１０内に一体的に配設される背面側発光手段４０と背面側表示手段３０が、第一筐体背面側１２に形成される背面側開口部１２ａを介して外部から一体的に視認できるようになっている。
具体的には、本実施形態の背面側開口部１２ａは、図７に示すように、背面側発光手段４０となるＥＬ素子の外形とほぼ同じ大きさに形成され、第一実施形態におけるＥＬ搭載部１２ｂが省略されるようになっている。
【００７４】
このような構成からなる本実施形態の携帯型無線通信装置によっても、上述した第一実施形態の場合と同様、装置背面側に備えられる背面側表示手段３０とともに、ＥＬ素子からなる背面側発光手段４０を備えることによって、背面側表示手段３０の情報表示機能を補完しつつ、通信装置の背面側に面状に発光する部分を設けることができ、装飾効果，美的効果を高めて、従来には存在しない魅力ある携帯型無線通信装置を提供することができる。
しかも、本実施形態では、背面側発光手段４０となるＥＬ素子を、背面側表示手段３０とともに第一筐体１０内に配設し、第一筐体背面側１２に形成した背面側開口部１２ａを介して一体的に視認可能な構成とすることで、第一筐体１０の組立て作業を容易に行うことができる。
【００７５】
すなわち、本実施形態では、予め第一筐体正面側１１に基板７を取り付けるとともに、この基板７上の背面側発光手段３０の上面に背面側発光手段４０を搭載して導体露出部と接続させることにより、これを第一筐体正面側１１のユニットとすることができる。従って、第一筐体１０の組立て作業は、ユニット化された第一筐体正面側１１に背面側１２を取り付けるだけの作業となり、組立て作業はきわめて単純かつ容易なもので済むことになる。
特に、予めＥＬ素子を、液晶ディスプレイ等からなる背面側表示手段３０に一体的に取り付けておくことにより、ＥＬ素子と背面側表示手段３０を一つのユニットとして扱うことができることになり、第一筐体１０内の基板７への配設作業や筐体の組立て作業も、一層容易化することが可能となる。
【００７６】
また、このようにＥＬ素子と背面側表示手段３０とを一体的に配設する本実施形態では、背面側表示手段３０をＥＬ素子の保持手段として利用することができるので、ＥＬ素子専用の保持手段を別途設ける必要がなく、ＥＬ素子及び通信装置全体を薄型化することができる。
これにより、ＥＬ素子からなる背面側発光手段４０を備えることによっても、携帯型無線通信装置１が大厚化，大重量化することなく、通信装置の薄型化を図ることが可能となる。
【００７７】
［第三実施形態］
さらに、図１０及び図１１を参照して、本発明の携帯型無線通信の第三実施形態について説明する。
図１０及び図１１は、本発明の第三実施形態にかかる携帯型無線通信装置における背面側表示部及び背面側発光部を模式的に示す斜視図で、図１０は両者の組立て前の状態、図１１は組立て後の状態を示している。
同図に示すように、本実施形態にかかる携帯型無線通信装置では、背面側発光手段４０となるＥＬ素子が、第一筐体１０の壁部の厚み方向、すなわち背面側表示手段３０の高さ方向（図１０及び図１１における図面上下方向）の異なる位置に連続して配設されるようになっている。
【００７８】
具体的には、図１０及び図１１に示すように、本実施形態のＥＬ素子は、液晶ディスプレイ等の背面側表示手段３０の外周に沿って配設可能な環状に形成してある。そして、このＥＬ素子が、背面側表示手段３０の中央近傍でほぼ直角状に屈曲形成されている。
これにより、ＥＬ素子の発光面は、背面側表示手段３０の高さ方向の上面及び下面の位置に連続して配設されるようになっている。
その他の構成は、上述した第二実施形態にかかる携帯型無線通信装置と同様となっている。
【００７９】
このような構成からなる本発明の携帯型無線通信装置によれば、連続する一つのＥＬ素子を屈曲等させることによって、第一筐体１０の壁部の厚み方向、すなわち背面側表示手段３０の高さ方向に、異なる位置をもって配設することができる。
これにより、複雑な構成とすることなく、高さ方向に発光位置が異なる複数段の発光手段を形成することができ、ＥＬ素子による従来には存在しない発光態様によって、通信装置の装飾効果をより高めることが可能となる。
特に、例えば背面側表示装置３０が液晶ディスプレイで構成される場合、液晶ディスプレイのバックライト光と合わせて、さらに多段階の発光を行うことができ、携帯型無線通信装置の美感，装飾的効果をさらに向上せさることが可能となるという効果を奏する。
【００８０】
なお、本発明の携帯型無線通信装置は、上述した実施形態にのみ限定されるものではなく、本発明の要旨の範囲で種々の変更実施が可能であることは言うまでもない。
例えば、上述した実施形態では、携帯型無線通信装置を構成する筐体として、第一及び第二筐体からなる二つの筐体を折畳み自在に連結した場合を例にとって説明したが、これ以外の筐体構造についても本発明を適用することができる。
【００８１】
すなわち、本発明の携帯型無線通信装置は、折畳み自在に連結される複数の筐体によって構成される通信装置について、少なくとも一の筐体の装置背面側に背面表示手段及び背面発光手段を備えるものであれば、上述した本発明の効果を奏することができるものである。
従って、二つの筐体が折畳み自在に連結される通信装置については、本発明にかかる背面表示手段及び背面発光手段を、一方の筐体のみに備えることもでき、また、双方の筐体の各背面側に備えることもできる。
なお、筐体が折畳み式でない単一型の筐体についても、上述した本発明にかかる背面側表示手段及び背面側発光手段を適用することができることは勿論である。
【００８２】
【発明の効果】
以上説明したように、本発明の携帯型無線通信装置によれば、装置筐体の背面側に、所定の情報を表示する液晶ディスプレイ等からなる背面側表示手段を備えるとともに、この背面側表示手段とは別個に動作，発光するＥＬ素子からなる背面発光部を備えることによって、ＥＬ素子の発光により、背面側表示手段の情報表示機能を補完しつつ、装置背面に従来にはない新たな装飾効果をもたせることができる。
【図面の簡単な説明】
【図１】本発明の第一実施形態にかかる携帯型無線通信装置の外観を示す図であり、（ａ）は正面図、（ｂ）は右側面図、（ｃ）は背面図である。
【図２】本発明の第一実施形態にかかる携帯型無線通信装置における表示側筐体の全体を示す、装置背面側から見た分解斜視図である。
【図３】本発明の第一実施形態にかかる携帯型無線通信装置における表示側筐体の一部を示す、装置正面側から見た分解斜視図である。
【図４】本発明の第一実施形態にかかる携帯型無線通信装置の、図２に示すＡ−Ａ線における断面部であり、筐体の組立て前の状態を示している。
【図５】本発明の第一実施形態にかかる携帯型無線通信装置の、図２に示すＡ−Ａ線における断面部であり、筐体の組立て後の状態を示している。
【図６】図５に示す断面図の要部拡大図である。
【図７】本発明の第二実施形態にかかる携帯型無線通信装置における表示側筐体の全体を示す、装置背面側から見た分解斜視図である。
【図８】本発明の第二実施形態にかかる携帯型無線通信装置の、図７に示すＢ−Ｂ線における断面部であり、筐体の組立て前の状態を示している。
【図９】本発明の第二実施形態にかかる携帯型無線通信装置の、図７に示すＢ−Ｂ線における断面部であり、筐体の組立て後の状態を示している。
【図１０】本発明の第三実施形態にかかる携帯型無線通信装置における背面側表示部及び背面側発光部を模式的に示す斜視図で、両者の組立て前の状態を示している。
【図１１】本発明の第三実施形態にかかる携帯型無線通信装置における背面側表示部及び背面側発光部を模式的に示す斜視図で、両者の組立て後の状態を示している。
【図１２】従来の携帯型無線通信装置の外観を示す図であり、（ａ）は背面図、（ｂ）は左側面図、（ｃ）は正面図である。
【符号の説明】
１  携帯型無線通信装置
２  筐体
３  ヒンジ部
４  正面側表示手段
５  入力手段
６  アンテナ
７  基板
１０  第一筐体
１１  第一筐体正面側
１１ａ  正面側開口部
１２  第一筐体背面側
１２ａ  背面側開口部
１２ｂ  ＥＬ搭載部
１２ｃ  スクリーン搭載部
１２ｄ  電極挿入部
１２ｅ  コネクタ取付け部
２０  第二筐体
３０  背面側表示手段
４０  背面側発光手段（ＥＬ素子）
４０ａ  電極
４０ｂ  切欠き部
４１  コネクタ
４２  背面側スクリーン
４２ａ  透明窓部
４２ｂ  爪部
４２ｃ  彩色部
【図１】
0003751870.tif 000002
【図２】
0003751870.tif 000003
【図３】
0003751870.tif 000004
【図４】
0003751870.tif 000005
【図５】
0003751870.tif 000006
【図６】
0003751870.tif 000007
【図７】
0003751870.tif 000008
【図８】
0003751870.tif 000009
【図９】
0003751870.tif 000010
【図１０】
0003751870.tif 000011
【図１１】
0003751870.tif 000012
【図１２】
0003751870.tif 000013